(57)【要約】      （修正有）【課題】シェービングエイドの溶け出し量が必要分より多いときはそれを調整し、必要分より少ないときはそれを補って円滑なヒゲ剃りをすることができる安全かみそりを提供することを目的とする。あるいは、シェービングエイド付きの安全かみそりでなくヒゲ剃りクリーム等の潤滑補助材を使用したときにも、円滑なヒゲ剃りをすることができることも目的とする。【解決手段】ヒゲ剃りを円滑にするための潤滑補助材を用いたヒゲ剃り中に、その現に用いられている潤滑補助材を蓄えるための蓄え所８が設けられている。【選択図】  図１
2004159992.tif 000002
【特許請求の範囲】
【請求項１】
ヒゲ剃りを円滑にするための潤滑補助材を用いたヒゲ剃り中に、その現に用いられている潤滑補助材を蓄えるための蓄え所が設けられていることを特徴とする安全かみそり
【請求項２】
刃体の上に天板が装着されており、蓄え所は天板に設けられている請求項１記載の安全かみそり
【請求項３】
蓄え所は天板に設けられた凹部である請求項２記載の安全かみそり
【請求項４】
蓄え所は天板に固着されたスポンジ等の水分吸収材である請求項２記載の安全かみそり
【請求項５】
複数の蓄え所が天板の横方向に間隔を置いて並んでいる請求項２乃至請求項４記載の安全かみそり
【請求項６】
一つの細長い蓄え所が天板の上面に横方向に延在している請求項２乃至請求項４記載の安全かみそり
【請求項７】
ヒゲ剃り時に安全かみそりが剃り進む方向を前方向と定義して、蓄え所は、前後方向の幅が比較的広い部分とそれよりも狭い部分とが並んでいる請求項５又は請求項６記載の安全かみそり
【請求項８】
溶け出すことによってそれ自身が潤滑補助材として作用するシェービングエイドを備えている請求項１乃至請求項７記載の安全かみそり
【請求項９】
シェービングエイドを有する安全かみそりであって、シェービングエイドは、前後方向の幅が比較的広い部分とそれよりも狭い部分とが交互に並ぶように取り付けられていることを特徴とする安全かみそり
【請求項１０】
シェービングエイドを有する安全かみそりであって、複数のシェービングエイドが間隔を置いて横方向に並んでいることを特徴とする安全かみそり
【請求項１１】
蓄え所とシェービングエイドを有する安全かみそりであって、前後方向の幅が比較的広い部分とそれよりも狭い部分とが交互に並ぶ蓄え所又はシェービングエイドのその幅が比較的広い部分、及び横方向に間隔を置いて並ぶ蓄え所又はシェービングエイドの個々の部分、のそれぞれの部分を蓄え所のポイント又はシェービングエイドのポイントと定義し、蓄え所とシェービングエイドの少なくとも一組のポイントの位置が対応していることを特徴とする安全かみそり
【請求項１２】
蓄え所の前方にシェービングエイドが存在する請求項８乃至請求項１１記載の安全かみそり
【請求項１３】
蓄え所は独立して存在し、したがってシェービングエイドが蓄え所の全部又は一部を構成しない請求項８乃至請求項１２記載の安全かみそり
【請求項１４】
シェービングエイドは、刃縁から距離を置いて横方向に延在するガードバーに取り付けられている請求項８乃至請求項１３記載の安全かみそり
【請求項１５】
シェービングエイドは、蓄え所よりも後方の天板に取り付けられている請求項８乃至請求項１４記載の安全かみそり
【請求項１６】
安全かみそりの刃を保護するキャップが着脱自在に取り付けられ、該キャップは蓄え所を覆っていない請求項１乃至請求項１５記載の安全かみそり
【請求項１７】
成形方法及び成分の異なる少なくとも２つのシェービングエイドを備えたことを特徴とする安全かみそり
【発明の詳細な説明】
【０００１】
【発明の属する技術分野】
本発明は、一般大衆が使用する安全かみそりに関する。
【０００２】
【従来の技術】
ヒゲ剃り時に安全かみそりと皮膚との摩擦を減らして円滑にヒゲ剃りを行なうためにシェービングクリームやシェービングフォームや石けんなどが潤滑補助材として使用されてきた。また、近年、潤滑補助材である固形の水溶性シェービングエイドをあらかじめ安全かみそりに取り付けて、シェービングクリーム等を顔に塗る作業を不要とするものもある（例えば、特許文献１参照）。
【０００３】
【特許文献１】
実公平７−４８２２４号公報（図１）
【０００４】
【発明が解決しようとする課題】
前記特許文献は、シェービングエイドがかみそりヘッドの上面に横方向に延在するように取りつけられており、シェービングエイドの幅が中央付近で最大で端部に行くに従って徐々に小さくなる構成である。このような構成にすることによって、使用時におけるシェービングエイドの溶け出し量を皮膚との摩擦力が一番強い中央付近で多くして、ヒゲ剃りを円滑に行なえるという効果が生じる。
【０００５】
しかし、シェービングエイドの溶け出し量はそれを溶かす水や湯の温度で変化し、安全かみそりの使用の初期段階と何度も使用した後の段階においても変化する。したがって、一定のサイズで装着されているシェービングエイドが常に最適の溶け出し量を提供しているかという点については疑問が残る。すなわち、あるときは溶け出し量が必要分より多いときがあり、反対に必要分より少ないときもある。本発明は、シェービングエイドの溶け出し量が必要分より多いときはそれを調整し、必要分より少ないときはそれを補って円滑なヒゲ剃りをすることができる安全かみそりを提供することを目的とする。あるいは、シェービングエイド付きの安全かみそりでなくヒゲ剃りクリーム等の潤滑補助材を使用したときにも、円滑なヒゲ剃りをすることができることも目的とする。
【０００６】
【課題を解決するための手段】
本発明の請求項１の構成は、ヒゲ剃りを円滑にするための潤滑補助材を用いたヒゲ剃り中に、その現に用いられている潤滑補助材を蓄えるための蓄え所が設けられている構成である。請求項２は、蓄え所が天板に設けられている構成であり、請求項３は、その蓄え所が凹部である構成である。請求項４は、蓄え所が天板に固着されたスポンジ等の水分吸収材から成る構成である。
【０００７】
請求項５は、複数の蓄え所が天板の横方向に間隔を置いて並んでいる要素が請求項２乃至請求項４に限定的に付加された構成であり、請求項６は、一つの細長い蓄え所が天板の上面に横方向に延在している要素が請求項２乃至請求項４に限定的に付加された構成である。請求項７は、ヒゲ剃り時に安全かみそりが剃り進む方向を前方向と定義して、蓄え所は、前後方向の幅が比較的広い部分とそれよりも狭い部分とが並んでいるという要素が請求項５又は請求項６に限定的に付加された構成である。
【０００８】
請求項８は、溶け出すことによってそれ自身が潤滑補助材として作用するシェービングエイドを備えているという要素が付加された構成である。このことは、本発明がシェービングエイドを取り付けていない場合も含んでいることを意味する。
【０００９】
請求項９は、シェービングエイドを有する安全かみそりであって、シェービングエイドは、前後方向の幅が比較的広い部分とそれよりも狭い部分とが交互に並ぶように取り付けられている構成である。請求項１０は、シェービングエイドを有する安全かみそりであって、複数のシェービングエイドが間隔を置いて横方向に並んでいる構成である。
【００１０】
請求項１１は、蓄え所とシェービングエイドを有する安全かみそりであって、前後方向の幅が比較的広い部分とそれよりも狭い部分とが交互に並ぶ蓄え所又はシェービングエイドのその幅が比較的広い部分、及び横方向に間隔を置いて並ぶ蓄え所又はシェービングエイドの個々の部分、のそれぞれの部分を蓄え所のポイント又はシェービングエイドのポイントと定義し、蓄え所とシェービングエイドの少なくとも一組のポイントの位置が対応している構成である。
【００１１】
請求項１２は、蓄え所の前方にシェービングエイドが存在する要素が請求項８乃至請求項１１に限定的に付加された構成である。請求項１３は、蓄え所は独立して存在し、したがってシェービングエイドが蓄え所の全部又は一部を構成しない要素が請求項８乃至請求項１２に限定的に付加された構成である。この構成によれば、例えば、蓄え所の周面の一部がシェービングエイドであったり、蓄え所の中をシェービングエイドが横切っている構成は除外される。
【００１２】
請求項１４は、シェービングエイドが、刃縁から距離を置いて横方向に延在するガードバーに取り付けられている要素が請求項８乃至請求項１３に限定的に付加された構成であり、請求項１５は、シェービングエイドが、蓄え所よりも後方の天板に取り付けられている構成である。請求項１６は、安全かみそりの刃を保護するキャップが着脱自在に取り付けられ、該キャップは蓄え所を覆っていない構成であり、請求項１７は、成形方法及び成分の異なる少なくとも２つのシェービングエイドを備えた安全かみそりの構成である。
【００１３】
【発明の効果】
本発明の請求項１は、ヒゲ剃り中に現に用いられている潤滑補助材を蓄えるための蓄え所が設けられている構成である。すなわち、ヒゲ剃り中に潤滑補助材は安全かみそりと皮膚の間に存在するが、それを所定の蓄え所に蓄える構成である。これによって、ヒゲ剃り中に潤滑補助材が不足するときは蓄えられていた潤滑補助材が蓄え所から供給され、円滑なヒゲ剃りを続行することができる。反対に、潤滑補助材が過剰であるときは蓄え所に蓄えることによって、過剰の潤滑補助材を調整することができる。請求項２は蓄え所が天板に設けられている構成であり、請求項３はその蓄え所が凹部であり、請求項４はその蓄え所がスポンジ等の水分吸収材から成る。天板はヒゲ剃り時に皮膚と接触する部分であるから潤滑補助材を効率よく蓄えることができ、蓄え所を凹部または水分吸収材とすることによって適量の潤滑補助材を蓄えることができる。
【００１４】
請求項５は複数の蓄え所が天板の横方向に間隔を置いて並んでおり、請求項６は一つの細長い蓄え所が天板の上面に横方向に延在している。したがって、いずれにしても蓄え所は横方向に存在しているので潤滑補助材を横方向に関し平均して蓄えることができる。請求項７の蓄え所は、前後方向の幅が比較的広い部分とそれよりも狭い部分とが並んでいる構成である。したがって、蓄え所の位置や形状に対応して幅を変化させることができる。
【００１５】
請求項８は、安全かみそりが、溶け出すことによってそれ自身が潤滑補助材として作用するシェービングエイドを備えている。本発明はシェービングクリーム等を使用する場合のほか、シェービングエイドを取り付けた安全かみそりにおいても円滑なヒゲ剃りをすることができる。
【００１６】
請求項９は、シェービングエイドが前後方向の幅が比較的広い部分とそれよりも狭い部分とが交互に並ぶように取り付けられている構成である。したがって、幅の狭い一定幅の細長いシェービングエイドであるときはシェービングエイドの溶け出し量が不足する虞があり、幅広の一定幅の細長いシェービングエイドであるときは溶け出し量が過剰となる虞があるが、このように構成したときは適量の溶け出し量とすることができる。また、蓄え所を設けたときは蓄え所の位置や形状に対応して幅を変化させることができる。請求項１０は、複数のシェービングエイドが間隔を置いて横方向に並んでいる構成である。この他にもう一つのシェービングエイドを装着した場合などに、全体として過剰にシェービングエイドが溶け出すことを防止できる。また、これら２つの構成は蓄え所が存在しなくてもよい。このようなシェービングエイドの構成のときは溶け出す量が比較的少ないので、ヒゲの薄い使用者にとって適量となる。あるいは、女性が体毛を剃るときにも安全かみそりを使用するが、このときもシェービングエイドは少なめで足りるから女性用の安全かみそりとして最適である。
【００１７】
請求項１１は、蓄え所とシェービングエイドを有する安全かみそりであって、前後方向の幅が比較的広い部分とそれよりも狭い部分とが交互に並ぶ蓄え所又はシェービングエイドのその幅が比較的広い部分、及び横方向に間隔を置いて並ぶ蓄え所又はシェービングエイドの個々の部分、のそれぞれの部分を蓄え所のポイント又はシェービングエイドのポイントと定義し、蓄え所とシェービングエイドの少なくとも一組のポイントの位置が対応している。シェービングエイドのポイントからはシェービングエイドが多めに溶け出すから、それに対応して蓄え所のポイントを設けることによって効率的に潤滑補助材を蓄えることができる。
【００１８】
請求項１２は蓄え所の前方にシェービングエイドが存在する構成である。したがって、ヒゲ剃り中に溶け出したシェービングエイドを後続の蓄え所が通過するので、効率的にシェービングエイドを蓄えることができる。請求項１３は、蓄え所は独立して存在し、したがってシェービングエイドが蓄え所の全部又は一部を構成しない。蓄え所の一部をシェービングエイドが構成すると、使用時にシェービングエイドが溶け出して蓄え所のサイズを変更するので、当初最適に形成した蓄え所が不具合になる。請求項１３のように形成することによって、そのような虞を排除できる。
【００１９】
請求項１４は、シェービングエイドが刃縁から距離を置いて横方向に延在するガードバーに取り付けられているから、ヒゲ剃り時に刃先縁の滑りもよくなるのである。請求項１５は、シェービングエイドが、蓄え所よりも後方の天板に取り付けられている構成である。好ましくは、シェービングエイドを前方にも取り付けることによって一層円滑なヒゲ剃りができる。請求項１６は、安全かみそりの刃を保護するキャップが着脱自在に取り付けられ、キャップは蓄え所を覆っていない。したがって、蓄え所の乾燥を速めることができる。請求項１７は、成形方法及び成分の異なる少なくとも２つのシェービングエイドを備えた構成である。成形方法が異なることによって溶け出し量が異なるから、場所の異なるシェービングエイドに合った成形方法を選ぶことによって、一層円滑なヒゲ剃りをすることができる。
【００２０】
【発明の実施の形態】
次に本発明の実施の形態を図面に従って説明する。図面は、かみそりホルダーに着脱自在に取り付けられる替刃組立体１であって、天板２と刃台３の間に刃体４が挟着された構造に組立てられている。刃体４の刃縁前方で横方向に延びるガードバー５に第１シェービングエイド６が取り付けられている。第１シェービングエイド６はガードバー５のほぼ全長に亘って延在し、途中にシェービングエイドの幅広部分を構成する複数のポイント７が一体に形成されている。
【００２１】
シェービングエイド自身の材料は、水溶性で潤滑作用をなす物質であればどのようなものでもよく、例えばポリエチレンオキシド等が用いられる。第１シェービングエイド６は射出成形によって取り付けられ、ラベンダーエキスや桃の葉エキスあるいは白樺エキス等のアロエと異なる成分が添加されている。射出成形によって取り付けられるシェービングエイドは、押出し成形によって取り付けられるシェービングエイドに比べてやや溶けにくい。第１シェービングエイド６はこのようにラベンダーエキスのような香料が主に添加され、アロエのような薬草成分は添加しない。香料はシェービングエイドが溶け出さなくても香りを発するからシェービングエイドがやや溶けにくくてもよいのである。
【００２２】
第１シェービングエイド６は前述した構成に限定されないことは勿論である。第１シェービングエイド６は細長い矩形に形成されてもよく、例えば円形状などの小さなポイントとして横方向に間隔をおいて複数並べるものであってもよい。やや長めのものを複数並べ、それぞれに幅広部分と幅の狭い部分を含むものであってもよい。
【００２３】
天板の上面に複数の凹状の蓄え所８が卵形の小さなポイントとして横方向に間隔をおいて並べられている。これらの蓄え所８の各ポイントは、前述した第１シェービングエイド６のポイント７と、剃り進む方向に関し同一線上にあるように対応して設けられている。したがって、図３に示すように蓄え所８を横切る線で切断した断面図では、蓄え所８に対応して第１シェービングエイドのポイント７が幅広の形状で表われる。また、図４に示すように蓄え所８のない部分で切断した断面図では、ポイント７は幅が狭い形状で表われる。蓄え所８の構成はこれに限定されないことは勿論であって、細長い矩形に形成されて横方向に一連に延在する構成でもよい。また、前述した第１シェービングエイド６のように横方向に一連に延在し、途中で幅広のポイントを形成するものであってもよい。あるいは、図１の卵形蓄え所８の各ポイントの中央を横方向に延びる溝で連結してもよい。蓄え所８の形状は卵形に限定されないことは勿論であっていかなる形状であっても差し支えない。例えば円形、楕円形、矩形、多角形、あるいは女性用のものについてはハート形などであってもよい。
【００２４】
蓄え所８は、凹状に形成されたものに限定されるものでなく溶け出したシェービングエイドなどの潤滑補助材を一時的に保存できる構成であればよい。例えば、蓄え所を凹状に形成し、そこにスポンジ等の吸収性に優れた物質を固着してもよい。
【００２５】
蓄え所よりも後方の天板上面に第２シェービングエイド９が取り付けられている。第２シェービングエイド９は細長く矩形に形成され、横方向に一連に延在している。また、第２シェービングエイド９は押出し成形によって形成され、天板上に設けられた凹部内に貼着されている。シェービングエイド自身の材料は、水溶性で潤滑作用をなす物質であればどのようなものでもよく、材料のほかにアロエ等の薬草成分が添加されている。前述した通り、押出し成形によって取り付けられるシェービングエイドは、射出成形によって取り付けられるシェービングエイドに比べて溶けやすい。薬草成分は溶け出して皮膚に十分に行き渡ることによって効果があるから、薬草成分を含むシェービングエイドは溶け易いものが好ましいのである。
【００２６】
第１シェービングエイド６と同様に、第２シェービングエイド９は前述した構成に限定されないことは勿論である。第２シェービングエイド９は図１に示す第１シェービングエイド６と同じように途中に幅広のポイントを形成する構成でもよい。あるいは一連に延在していなくてもよく、例えば円形状などの小さなポイントとして横方向に間隔をおいて複数並べるものであってもよい。やや長めのものを複数並べ、それぞれに幅広部分と幅の狭い部分を含むものであってもよい。
【００２７】
第１シェービングエイド６と第２シェービングエイド９の有無又は配置については前述した構成に限定されるものではない。第１シェービングエイド６はガードバー５に取り付けずに天板２に取り付けてもよい。天板２に取り付ける位置は、蓄え所８の前方でもよく後方でもよい。後方に取り付ける場合は第２シェービングエイド９は取り付けなくてもよい。すなわち、第１シェービングエイド６と第２シェービングエイド９のいずれか一方のみが取り付けられた構成であってもよい。また、蓄え所８を有する場合、シェービングエイドが存在しなくてもよい。このときは、ヒゲ剃り時にシェービングクリームやシェービングフォームや石けんが潤滑補助材として用いられる。
【００２８】
シェービングエイドが、前後方向の幅が比較的広い部分とそれよりも狭い部分とが交互に並ぶように取り付けられている場合、あるいは、複数のシェービングエイドが間隔を置いて横方向に並んでいる場合、の少なくとも一方のシェービングエイドを含むときは、蓄え所は存在しなくてもよい。例えば、図１において蓄え所８を除いた構成が該当する。前述したようにこのようなシェービングエイドの構成のときは溶け出す量が比較的少ないので、ヒゲの薄い使用者にとって適量となる。あるいは、女性が体毛を剃るときにも安全かみそりを使用するが、このときもシェービングエイドは少なめで足りるから女性用の安全かみそりとして最適である。
【００２９】
替刃組立体は、刃先を保護するために多くの場合、保護キャップを装着して保管する。保護キャップは替刃組立体の上面から被せるようにして装着するものや、あるいは保護キャップに替刃組立体を刃先側から挿し込むように装着する構成のもの等がある。いずれの構成についても、保護キャップの蓄え所に該当する部分に孔を設けるか、あるいは保護キャップの上面の後端から蓄え所の位置まで切欠を設けて蓄え所が露出するようにすることが好ましい。蓄え所は潤滑補助材を蓄えるための部分であるから、使用後に安全かみそりを水洗いしたときに水が蓄え所に溜まるので、これを乾燥する必要があるからである。保護キャップが蓄え所を覆う構成のときは、蓄え所の乾燥が遅れることになる。
【図面の簡単な説明】
【図１】本発明の平面図
【図２】本発明の正面図
【図３】図２において蓄え所を横切るＡ−Ａ拡大断面図
【図４】図２において蓄え所のない部分を横切る拡大断面図
【符号の説明】
１  替刃組立体
２  天板
３  刃台
４  刃体
５  ガードバー
６  第１シェービングエイド
７  ポイント
８  蓄え所
９  第２シェービングエイド
【図１】
2004159992.tif 000003
【図２】
2004159992.tif 000004
【図３】
2004159992.tif 000005
【図４】
2004159992.tif 000006